(57)【要約】【課題】病院において、診療施設する病院施設から温浴施設への行き来を容易にする。【解決手段】建物１内に病院施設部２と温浴施設部５とを設けられ、これら病院施設部２と温浴施設部５との間に、これら両施設部２，５に行き来可能なロビー９を該両施設部２，５に隣接して設ける。また、建物外に、温浴施設部５に隣接して露天風呂施設７を設置し、この露天風呂施設７と温浴施設部５とを仕切る外壁１８に開口部１９を設ける。【選択図】　　　　図１
0003097250.tif 000002
【実用新案登録請求の範囲】
【請求項１】
建物内に病院施設部と温浴施設部とが設けられ、これら病院施設部と温浴施設部との間に、これら両施設部に行き来可能なロビーが該両施設部に隣接して設けられており、
前記病院設備部の床面と温浴施設部の床面とロビーの床面とは、略面一に構成されていることを特徴とする温浴施設付き病院。
【請求項２】
請求項１記載の温浴施設付き病院において、
前記温浴設備部は、前記ロビーに接続されたフロントと、このフロントからそれぞれ行き来可能な第１及び第２脱衣室と、これら第１及び第２脱衣室からそれぞれ行き来可能な第１浴室及び第２浴室とを備えていることを特徴とする温浴施設付き病院。
【請求項３】
請求項１または２記載の温浴施設付き病院において、
前記温浴施設部は二つの浴場部を備え、これら浴場部は互いに離間して配置され、これら浴場部の屋根は互いに離間して設けられた片流れ屋根であり、これら片流れ屋根のそれぞれの棟部分の真下の壁部には、それぞれの浴場部の換気を行う換気口が設けられていることを特徴とする温浴施設付き病院。
【請求項４】
請求項１〜３のいずれかに記載の温浴施設付き病院において、
前記建物には前記ロビーに接続されたホールが設けられているとともに、前記建物の周囲若しくは上方に、多数の住戸を備えた集合住宅が設けられ、
前記集合住宅のホールと前記建物のホールとの間に、これら両ホールに隣接して共用のホールが設けられるか、あるいは前記集合住宅のホールと前記建物のホールとを一体化して共用のホールとしており、
前記共用のホールの床面は、前記集合住宅のホールの床面および前記建物のホールの床面と略面一になっていることを特徴とする温浴施設付き病院。
【考案の詳細な説明】
【０００１】
【考案の属する技術分野】
本考案は、温浴療法が行える温浴施設付きの病院（診療所も含む）に関するものである。
【０００２】
【従来の技術】
従来、病院には、風呂に入浴させて病気等を治療する温浴療法を行う温浴施設を備えたものがある。
このような病院に設けられた温浴施設は、一般的には、診療室等の診療を受けることができる病院施設（診療施設）からは離れて配置されており、長い廊下を通って行き来するようになっている。
【０００３】
【考案が解決しようとする課題】
しかし、上記のように設けられている温浴施設では、診療室で温浴療法を行うように診断された場合に、長い廊下を通って温浴施設に行かねばならず、直ぐに温浴施設に行って温浴治療を受けることができない。例えば、脚が悪い整形外科の患者の場合では、その移動に車椅子などを用意しなければならず、温浴施設に行くのに大変面倒であった。
【０００４】
本考案は、上記事情を鑑みてなされたもので、病院において、診療する病院施設から温浴施設への行き来を容易にした温浴施設付き病院を提供することにある。
【０００５】
【課題を解決するための手段】
以上の課題を解決すべく請求項１記載の考案は、例えば、図１に示すように、建物１内に病院（診療所も含む）施設部２と温浴施設部５とが設けられ、これら病院施設部２と温浴施設部５との間に、これら両施設部２，５に行き来可能なロビー９が該両施設部２，５に隣接して設けられており、
前記病院設備部２の床面と温浴施設部５の床面とロビー８の床面とは、略面一に構成されていることを特徴とする。
【０００６】
ここでいう病院とは、２０台以上のベッドを備える病院と、１９台以下のベッドを備えるもの、つまり患者の収容能力が１９人以下の診療所も含む。
【０００７】
請求項１記載の温浴施設付き病院１０にあっては、建物内に、病院施設部２と温浴施設部との間に、両施設に隣接してロビーが設けられているので、前記ロビーを介して病院施設部と温浴施設部との間の行き来が容易となる。
従って、病院施設部からロビーを通って直ぐに温浴施設部に行き、該温浴施設部で温浴療法を受けることができ、温浴療法を受けるための手間が掛かることがない。
また、病院施設部にて温浴療法が必要と診断した際に、患者を直ぐに温浴施設部に行かせて温泉療法を受けさせることができる。
【０００８】
ここで、具体的には、病院施設とは、患者の病状等を調べて判断する診療室や、処置室、Ｘ線室、理学療法室などを備えた施設のことである。また、温浴施設は温浴療法を行うことができるものであり、特に温泉であれば一層効果的である。
【０００９】
請求項２記載の考案は、請求項１記載の温浴施設付き病院において、例えば、図１に示すように、前記温浴設備部５は、前記ロビー９に接続されたフロント５１と、このフロント５１からそれぞれ行き来可能な第１及び第２脱衣室５２，５３と、これら第１及び第２脱衣室５２，５３からそれぞれ行き来可能な第１浴室５５及び第２浴室５６とを備えていることを特徴とする。
【００１０】
請求項３記載の考案は、請求項１または２記載の温浴施設付き病院において、例えば、図１〜３に示すように、前記温浴施設部は二つの浴場部（例えば、第１浴室５５，第２浴室５６）を備え、これら浴場部は互いに離間して配置され、これら浴場部の屋根１３，１４はそれぞれ離間して設けられた片流れ屋根であり、これら片流れ屋根のそれぞれの棟部分の真下の壁部１５，１６には、それぞれの浴場部の換気を行う換気口（例えば、壁部１６の換気口１６ａ）が設けられていることを特徴とする。
【００１１】
請求項３記載の温浴施設付き病院にあっては、請求項１または２記載と同様の効果を得ることができるとともに、前記温浴施設部が備える二つの浴場部の屋根が、それぞれ離間して設けられた片流れ屋根であり、これら片流れ屋根の互いに近接する部分の下部には、それぞれの浴場部の換気を行う換気口が設けられているので、前記換気口を介して、前記それぞれの浴場部の煙を排出等して換気を行うことができる。
つまり、建物の周囲方向に前記浴場部の煙を直接排煙することなく、前記換気口を介してそれぞれの浴場部の換気を行うことができる。
よって、温浴施設部を備えた建物に近接して他の建物が配置された場合、他の建物に向かって換気口からの空気が直接流れることを防止することができる。
また、前記互いに離間して配置された二つの浴場部の屋根を、前記二つの浴場部の間に大棟が位置するような一つの切り妻屋根として構成した場合、大棟部分の下部に換気口を設け、二つの浴場部のそれぞれの換気を行う構成とした際の手間を省くことができる。
さらに、二つの浴場部の屋根をそれぞれ互いに近接する側から離間する側に流れるように設け、それぞれ近接する側の屋根端部の下、つまりそれぞれの棟部分の下に換気口を設けた構成とすれば、それぞれの浴場の湯の煙等は屋根勾配に沿って上昇して、前記換気口から外部に排出される。よって、離間する二つの浴場部の間から２つの浴場部のそれぞれの換気を効率よく行うことができる。
【００１２】
請求項４記載の考案は、請求項１〜３のいずれかに記載の温浴施設付き病院において、例えば図４に示すように前記建物には前記ロビーに接続されたホール（例えば玄関たたき９１）が設けられているとともに、前記建物の周囲若しくは上方に、多数の住戸１１１を備えた集合住宅１１が設けられ、この集合住宅のホール１１２と前記建物のホール９１との間に、これら両ホールに隣接して共用のホール８が設けられるか、あるいは前記集合住宅のホールと前記建物のホールとを一体化して共用のホールとしており、
前記共用のホール８の床面は、前記集合住宅のホール１１２の床面および前記建物のホール９１の床面と略面一になっていることを特徴とする。
【００１３】
請求項４記載の考案によれば、請求項１〜３のいずれかと同様の効果を得ることができるとともに、前記建物のホールと、多数の住戸を備えた集合住宅のホールとの間に、共用のホールが設けられるか、あるいは前記集合住宅のホールと前記建物のホールとを一体化して共用のホールとしているので、建物と集合住宅との間の行き来が共用のホールを介して容易に行うことができる。
つまり、集合住宅の住戸から共用のホールを通って、建物のロビーに容易に行けることで集合住宅で生活を営む居住者が病院施設部や温浴施設部を容易に利用して、温浴療法を必要とする患者は病院施設部から直ぐに温浴施設部に行き、該温浴施設部にて開放感を得た状態で温浴療法を受けることができる。また、前記温浴施設部５に隣接して露天風呂施設７が設けられていれば、前記集合住宅の複数の居住者は前記露天風呂施設も利用することができる。
また、前記各住戸に診察予約希望を病院施設部に知らせるボタン等を設ければ、身体が自由に動かすことができない人でも、ボタンを押すだけで病院施設部に連絡でき、該病院施設部に行くことで前記容易に医師や看護婦の治療を受けることができる。
【００１４】
【考案の実施の形態】
以下に、本考案に係る温浴施設付き病院（診療所）の実施の形態例を図１から図３に基づいて説明する。
図１は本考案を適用した一例を示す温浴施設付き病院（診療所）の建物の間取りの概略を示す概略間取り図、図２は同建物を有する温浴施設付き病院の外観斜視図、図３は同温浴施設付き病院の正面図、図４は同温浴施設付き病院１の概略平面図である。
まず、図１に示すように、温浴施設付き病院（診療所）１０は敷地内に建てられた建物１と、建物１外に設置された露天風呂施設７とを備える。
建物１の内部には、病院施設部２と温浴施設部５とが設けられ、これら病院施設部２と温浴施設部５との間にロビー９が両施設部２，５に隣接して設けられ、このロビー９から病院施設部２と温浴施設部５とにそれぞれ行き来可能となっている。
【００１５】
ロビー９は、平面視クランク状に設置され、一端部が建物１正面略中央に設けられた玄関６（図２及び図３参照）の玄関たたき（建物のホール）９１に接続され、他端部が後述するフロント９に接続されている。また、ロビー９の上部には吹き抜け空間が形成されている。また、ロビー９を囲む内壁面（例えば、ロビー９と診察室２３とを仕切る壁部のロビー９側の壁面、レストルーム３８とロビー９とを仕切る壁のロビー９側の壁面）には手すりが取り付けられているとともに、壁面の下端に車椅子当接した際に壁を防護する車椅子防護用材が取り付けられている。
玄関たたき９１は、後述する建物１の外方の外部ホール（共用ホール）８に連続している。
病院施設部２は、処置室２１、Ｘ線室２２、診察室２３、院長室２４、理学療法室２５、洗濯室２６、マッサージ室２７、女子更衣室２８、男子更衣室２９などを備える。
処置室２１は建物１の正面側で、玄関６の玄関たたき９１の右側に隣接して設けられ、この処置室２１に隣接して建物１の奥側に、ロビー９に接続され、該ロビー９と一体となっている第１通路部９２が配置されている。
この第１通路部９２に隣接して該第１通路９２の奧側に、処置室２１に対向してＸ線室２２と診察室２３とが配置されている。なお、玄関たたき９１側から見て第１通路部９２の突き当たって右側には、処置室２１に隣接した便所３０が配置されている。また、この第１通路部９２は処置室２１、Ｘ線室２２、診察室２３などに次に入室する患者のための待合い室となっている。
【００１６】
Ｘ線室２２及び診察室２３は第１通路部９２から出入り可能となっており、Ｘ線室２２と診察室２３とは、Ｘ線室２２のＸ線装置の操作を行う操作室２２ａを介してそれぞれ行き来可能となっている。またＸ線室２２の後ろ側に、該Ｘ線室２２と操作室２２ａのそれぞれに隣接し、操作室２２ａから出入り可能な暗室２２ｂが設けられている。また操作室２２ａ及び暗室２２ｂの後ろに便所３１が隣接配置され、この便所３１に隣接して建物１の外側には、建物１の内外を行き来可能とする小玄関３２が設けられている。
【００１７】
診察室２３の後ろ側には、建物１の左右方向に延在し、右端部が小玄関３２に接続され、左端部が玄関６に対向する第１事務室３３に接続された第２通路部９３が設けられている。
この第２通路部９３の後ろ側に、該第２通路部９３に面して右から順に女子更衣室２８、院長室２４、第３通路部９４、湯沸室３５、男子更衣室２９、第１事務室３３が配置されている。女子更衣室２８及び院長室２４の後ろには第２事務室３４が配置されている。なお、第２通路部９３から女子更衣室２８、院長室２４及び第１事務室３３に行き来可能となっている。
また、第３通路部９４は建物の前後方向に延在し、前端部は第２廊下部９３に直交するように接続され、後端部は第２事務室３４に突き当たっており、この第３通路部９４から第２事務室３４及び湯沸室３５に出入り可能となっている。
【００１８】
第１事務室３３はロビー９を挟んで玄関たたき９１と対向して配置しており、ロビー９と事務室３３とは、受付カウンター３３ａで仕切られている。
第１事務室３３の後ろ側には、該第１事務室３３に隣接して、建物１の左右方向に延在するように配置された第４通路部９５が配置され、この第４通路部９５の右側端部は第３通路部９４の後端部に直交して接続され、他端部が後述するフロント５１に接続されている。
第４通路部９５から男子更衣室２９に出入り可能となっており、この第４通路部９５に面して、且つ湯沸室３５と男子更衣室２９に対向した位置に倉庫３７が設けられている。
【００１９】
理学療法室２５は、玄関たたき９１及び該玄関たたき９１に接続されたロビー９の一部を挟んで、処置室２１と第１通路部９２に対向して離間した状態で配置されており、建物１の正面側から見て玄関６の左側に配置されている。
理学療法室２５の後ろ側に洗濯室２６とマッサージ室２７とが並んで配置されており、これら洗濯室２６とマッサージ室２７の後ろ側にロビー９から行き来可能なレストルーム３８が配置されている。
またレストルーム３８の後ろ側には、ロビー９から行き来可能な車椅子用便所３９、男子便所４０及び女子便所４１が配置されている。
【００２０】
温浴施設部５は、ロビー９に接続されたフロント５１と、このフロント５１からそれぞれ行き来可能な第１及び第２脱衣室５２，５３と、これら第１及び第２脱衣室５２，５３からそれぞれ行き来可能な二つの浴室（浴場部：以下それぞれの浴室を第１浴室５５、第２浴室５６という）と、リネン室５７と、機械室５８と、倉庫５９等とを備える。
フロント５１は、ロビー９の後端部で、該ロビー９に隣接した状態で接続されて、該ロビー９から行き来可能となっており、浴室５５，５６等を利用する患者を受け付けるカウンター５１ａを備える。
また、このフロント５１は両側後端部に設けられた開口部５１ｂ，５１ｃを介して第１及び第２脱衣室５２，５３に接続され、右側の開口部５１ｃに隣接して第４通路部９５の他端部に接続されている。
開口部には可撓性を有する開閉可能な目隠し材５１ｄが取り付けられ、この目隠し部材５１ｄによりフロント５１側から第１及び第２脱衣室５２，５３内が見えないようになっている。
【００２１】
第１脱衣室５２には、畳が敷かれた畳敷き区画５２ａと、洗面台５２ｂ、便所５２ｃとが設けられ、第１脱衣室５２の後ろ側に、該第１脱衣室５２に隣接して配置された第１浴室５５に出入り自在となっている。
第２脱衣室５３には、洗面台５３ａ、便所５３ｂ、物入５３ｃとが設けられ、第２脱衣室５３の後ろ側に隣接されている倉庫５９と第２浴室５６に行き来可能となっている。
【００２２】
第１及び第２浴室５５，５６は、機械室５８及び倉庫５９を挟んで互いに離間して配置されており、それぞれフロント５１から第１及び第２脱衣室５２，５３を介して行き来可能となっている。
言い換えれば、両浴室５５，５６どうしは、フロント５１を介してのみ行き来可能なように仕切られた状態となっている。
第１浴室５５及び第２浴室５６は、それぞれ建物１の奧側の両隅部に配置されており、大浴槽５５１〜５５３，５６１，５６２を含む各種浴槽５５１〜５５４，５６１〜５６３、かけ湯区画５５５，５６５、シャワー区画５５６，５６６、洗い場区画５５７，５６７等を備えている。各種浴槽５５１〜５５４，５６１〜５６３に入浴することで温浴療法が行われる。
また、各種浴槽５５１〜５５６，５６１〜５６３には、利用者が入浴した際に、利用者の所定の患部（部位：例えば、肩、腹、足の裏、足の側面、腰、背中等）に向かって、気泡が含まれた高圧水流が吹き出し患部を刺激するマッサージ部（ジャグジーなど）が設けられており、第１及び第２浴室５５，５６内にてバイブラ湯、打たせ湯などを構成し、また浴槽５５２，５５３，５６１には座浴：浮き浮き風呂：肩たたき温浴が行えるようになっている。例えば、浴槽５５２には立った状態で入浴した入浴者の腹又は体全体に向かって高圧水流が流出する区画５５２ｂが設けられており、この区画に入浴することで、体全体をマッサージすることができる。また、浴槽５５４、５６３は寝ながら入浴できるジャグジー浴槽である。
【００２３】
また、各種浴槽５５１〜５５４，５６１〜５６３内の湯（特に大浴槽５５１〜５５３，５６１，５６２内の湯）は温泉と同様の成分であることが望ましい。さすれば、これら浴槽５５１〜５５３，５５４，５６１，５６２に入浴することにより温泉水の温熱作用や水圧浮力などの機械的作用、温泉水の含有成分らによる化学的効用が得られ、温浴療法の効果の向上を図ることができる。なお、ここでは浴槽に応じて異なった効力を発する湯としているので、患者の病状に応じた温浴療法を施すことができる。
例えば、浴槽５５１及び浴槽５６２の浴槽には、ヨード温泉を図示しない隣地から引き込んでいる。この温泉水は、排水を図示しない浄化槽で処理可能な範囲以内に押さえるために薄められている。また温水又は温泉水は循環式のものを用い、１週間から１０日に一度温水または温泉水を取り替えられる装置を設置し経済性を考慮している。また浄化槽はＢＯＤ（生物化学的酸素要求量）１０ｐｐｍ以下の基準値を満足している。
【００２４】
これら浴室５５，５６の大浴槽５５１〜５５３，５６１の上部は吹き抜けとなっており、吹き抜け上方から区切る第１及び第２浴室５５．５６の屋根１３，１４は、それぞれ離間して設けられた片流れ屋根となっている。
これら浴室５５，５６上部の片流れ屋根１３，１４は、第１及び第２浴室が互いに近接する側から離間する側に下るように勾配が付けられている。つまり、それぞれの屋根１３，１４における互いに近接する端部は、離間して平行に配置された棟部分１３ａ，１４ａとなっている。なお、建物１において棟部分１３ａ，１４ａ間は、上方に開口する溝状に形成された状態となっている。
【００２５】
そして、片流れ屋根１３，１４のそれぞれの棟部分１３ａ，１４ａの真下の壁部１５，１６には、浴室５５，５６の換気を行う換気口（壁部１５の換気口は図示省略、壁部１６の換気口１６ａ）がそれぞれ設けられている。壁部１５，１６どうしは平行で互いに離間した状態で設けられているものである。壁部１５の換気口は壁部１６の換気口１６ａに対向して配置されている。これら壁部１５，１６は後端部で建物１の後ろ側の外壁１８の上部に接続されている。
【００２６】
このように第１及び第２浴室５５，５６の屋根１３，１４の屋根勾配が互いに近接する側から離間する側に下るように構成され、それぞれの屋根１３，１４の棟部分１３ａ，１４ａが離間して向かい合った状態となる。そして、これら棟部分の下部の壁部１５，１６に換気口１５ａ，１６ａがそれぞれ設けられているので、換気口１５ａ，１６ａを介して第１及び第２浴室５５，５６からの煙を建物１の周囲に直接流すことなく、建物外部に排出することができる。つまり棟部分１３ａ，１４ａ間の溝状部分から外部に第１及び第２温室５５，５６からの煙を排出することができる。
【００２７】
また、この建物の外に配置された露天風呂施設７は、前記温浴施設部５に隣接配置され、露天風呂施設７と温浴施設部５とを仕切る外壁１８（詳細には外壁１８の両側端部分１８Ａ，１８Ｂ）には、引き違い窓１８ａを備えた開口部１９が設けられている。なお、この露天風呂施設７は、病院（診療所）１０内において、建物１の後方に配置されており、病院（診療所）１０の後方に設けられた外構（図２参照）７９により病院外から見えないようになっている。
つまり、露天風呂施設７は、温浴施設部５の第１浴室５５及び第２浴室５６のそれぞれに隣接配置された第１及び第２露天風呂７１，７２を備えており、これら第１及び第２露天風呂７１，７２は、第１浴室５５及び第２浴室５６のそれぞれの外壁１８の両側端部分１８Ａ，１８Ｂに形成された開口部１９，１９を介して、第１露天風呂７１へは第１浴室５５から、第２露天風呂７２へは第２浴室５６からそれぞれ行き来できるようになっている。なお、外壁１８はガラス張りとなっており、それぞれの浴室５５，５６内から外を望めるようになっている。
【００２８】
また、第１露天風呂７１と第２露天風呂７２との間にはドライエリア６１と、図示しない煙突などが配置される屋根への階段部及び地下オイルタンク部６２とが設けられ、第１及び第２露天風呂７１，７２どうしは外構７９で囲まれた敷地内においてドライエリア６１や屋根への階段部及び地下オイルタンク部６２により仕切られた状態となっている。ドライエリア６１は建物１地下に設置された図示しない機械設備のメンテナンスを行うための出入り口となるものである。この建物１では、温浴施設部５のための機械類は、機械室５８以外全て地下へ集めて配置しており平面的にコンパクトなものとなり、集めて設置されていることで、メンテナンスなどの作業が行いやすいものとなっている。
また、露天風呂施設７は植裁７３を備える。
【００２９】
上記建物１において、病院施設部２を構成する各室と、温浴施設部５を構成するフロント５１、第１及び第２脱衣室５２，５３、浴槽を除く第１及び第２浴室５５，５６、ロビー９、玄関たたき９１、第１通路部９２〜第４通路部９５等の床面は、全て凹凸がなく略面一に構成され、バリアフリーとしてまとめられた構成となっている。つまり、建物１の利用者が車椅子利用者であっても病院施設部２、温浴施設部５及びロビー９の行き来を容易に行えるようになっている。
【００３０】
上記温浴施設付き病院（診療所）１０では、建物１内において診察室２３にて、温浴療法の必要を診断した場合、診察室２３、処置室２１、理学療法室２５等で患部の処置を受けさせてから、ロビー９を通って直ぐに、第１及び第２浴室５５，５６に移動させることができる。
つまり、診察室２３等で診察した患者に、直ぐに浴槽に入浴させて温浴療法を施すことができる。例えば、診察室２３にて医者は温浴療法として、座浴、かたたたき、浮き浮き湯（寝湯）、バイブラ湯、打たせ湯、圧注の湯（入浴者は立ったまま腹又は体全体を高圧水流でマッサージする湯）などの入浴の仕方や入浴時間、さらに入浴順序などを指示する。この指示に従って、患者は病院施設部２の診察室２３から第１通路部９２、ロビー９を通して直ぐに温浴施設部５に行き、第１及び第２浴室５５，５６にて、指示内容どおりの湯に指示通りの時間で順に入浴することで温浴療法を受けることができる。
また、患者は診察されて直ぐにロビー９を通過して浴室に行って温浴療法を受けることができる。つまり、わざわざ温浴療法が受けられる場所、例えば、温泉場などにいく必要がなく、温浴療法を受ける場所に移動する手間が省ける。
【００３１】
なお、この温浴施設付き病院１０は、図４に示すように建物１の周囲に集合住宅１１を備えている。
図４に示すように、集合住宅１１は複数の住戸１１１を有し、平面視してＬ字状に配置されている。また、集合住宅１１は、建物１の玄関６と対向して配置されたホール１１２を備える。
このホール１１２は、複数の住戸１１１の玄関が面する通路１１３に接続されており、通路１１３を介してホール１１２と各住戸との間の出入りが可能となっている。
また、このホール１１２と建物１の玄関たたき９１との間には、ホール１１２と玄関たたき９１のそれぞれに隣接して共用のホール８が設けられている。
さらに、共用のホール８の床面は建物１の玄関たたき９１及び集合住宅１１のホール１１２の両方の床面と略面一となっている。
なお、玄関たたき９１とホール１１２とを一体化して共用のホールとしてもよい。
また、建物１のロビー９または集合住宅１１のホール１１２の一方を共用のホールとしてもよい。
【００３２】
よって、集合住宅１１に居住する居住者は、建物１のロビー９に容易に行き来可能となり、ロビー９から病院施設部２と温浴施設部５とを利用することができる。つまり、居住者は必要に応じて、病院施設部２と温浴施設部５とを車、電車などの交通手段を用いることなく直ぐに利用することができる。また、各住戸１１１に建物１側に診察要望を知らせる通信手段を配設していれば、その手段を用いて建物１側に知らせ、各住戸１１１からホール１１２、共用ホール８、玄関たたき９１を通れば直ぐに建物１のロビー９に到達することができ、ロビー９から診察室２３に行って温浴療法等の診察を受けることができる。例えば、各住戸１１１に、押すことで信号を発するボタンを設けるとともに、建物１側にボタンに接続され、該ボタンの発信信号を受信する受信器を設けた構成とし、ボタンを押圧することで建物１側に診察予約を知らせる構成等が挙げられる。
また、玄関たたき９１とホール１１２とを一体化して共用のホールとした場合や、建物１のロビー９または集合住宅１１のホール１１２の一方を共用のホールとした場合も同様に、集合住宅の住戸から建物１への行き来が容易となり、直ぐに建物１のロビー９に到達することができ、ロビー９から診察室２３に行って温浴療法等の診察を受けることができる。
なお、上記実施の形態において、集合住宅１１は建物１の周囲に配設した構成としたが、これに限らず、建物１の上方に設けた構成としてもよい。この場合、集合住宅１１は複数の住戸が建物の上方（詳細には、病院施設部２、温浴施設部５及びロビー９等が設けられた建物の一階層より上の階層）に配置し、該集合住宅１１のホールを１階部分に設けた構成となる。例えば、集合住宅は、建物の２階層以上の階層に設けられた複数の住戸と、建物の一階層に設けられたエレベータホール（建物のホール）とを備え、１階層のエレベータホールと２階層以上に配置された住戸とはエレベータを介して行き来可能な構成とする。そして、１階のエレベータホール（集合住宅のホール）は、同階層の玄関たたき９１と離間して配置し、さらに、玄関たたき９１とエレベータホールとの間に、これら玄関たたき９１とエレベータホールとを連絡する廊下（共用ホール）を設ける。このように温浴施設付き病院を構成した場合、ロビー上方の吹き抜けなどを無くし、その個所に集合住宅の住戸を配置してもよい。このように構成されていれば、上述したものと同様の効果を得ることができる。
【００３３】
【考案の効果】
以上のように、本考案に係る温浴施設付き病院によれば、建物内に、病院施設部と温浴施設部との間に、両施設に隣接してロビーが設けられており、前記病院設備部の床面と温浴施設部の床面とロビーの床面とは、略面一に構成されているので、前記ロビーを介して病院施設部と温浴施設部との間の行き来が容易となり、病院施設部からロビーを通って直ぐに温浴施設部に行き、該温浴施設部で温浴療法を受けることができ、温浴療法を受けるための手間を省くことができる。
【図面の簡単な説明】
【図１】本考案を適用した一例を示す温浴施設付き病院の建物の概略間取り図である。
【図２】同建物を有する温浴施設付き病院の建物の外観斜視図である。
【図３】同温浴施設付き病院の建物の正面図である。
【図４】本考案を適用した一例を示す温浴施設付き病院の概略平面図である。
【符号の説明】
１　建物
２　病院施設部
５　温浴施設部
７　露天風呂施設
８　外部ホール（共用のホール）
９　ロビー
１０　温浴施設付き病院（診療所）
１１　集合住宅
１３，１４　片流れ屋根
１６ａ　換気口
１８　外壁（仕切る壁）
１８Ａ，１８Ｂ　　外壁（仕切る壁）の側端部分
１９　　開口部
５５　第１浴室（浴場部）
５６　第２浴室（浴場部）
１１１　住戸
１１２　集合住宅のホール
【図１】
0003097250.tif 000003
【図２】
0003097250.tif 000004
【図３】
0003097250.tif 000005
【図４】
0003097250.tif 000006